(57)【要約】【課題】上部構造物と下部構造物との間に生じる回転変位に対応できるとともに、大きな引抜き荷重や水平荷重にも対応できるようにした支承を提供すること。【解決手段】下向きに開いた円柱状の内部空間を形成する側壁部材３を上部構造物側に有し、その内部空間に入る円柱状のペースポット７を下部構造物側に有しており、側壁部材３はその下部内側に周状の内向き突出部３ａを有し、ベースポット７はその上部外側に周状の外向き突出部７ａを有し、これらの内向き突出部３ａと外向き突出部７ａとが抜け止め状態で嵌合しており、ベースポット７の上部には圧縮ゴム９及びすべり材１０が設けられた構成とする。内向き突出部３ａと外向き突出部７ａとが嵌合していることにより、引抜き荷重や水平荷重が働いた場合に力が分散され。嵌合している部位がリング状であるため、上部構造物と下部構造物の間に回転変位が生じた場合に対応できる。【選択図】図１
2005121040.tif 000002
【特許請求の範囲】
【請求項１】
上部構造物と下部構造物を連結する支承であって、下向きに開いた円柱状の内部空間を形成する側壁部材を上部構造物側に有し、その内部空間に入る円柱状のペースポットを下部構造物側に有しており、前記側壁部材はその下部内側に周状の内向き突出部を有し、前記ベースポットはその上部外側に周状の外向き突出部を有し、これらの内向き突出部と外向き突出部とが抜け止め状態で嵌合しており、前記ベースポットの上部には圧縮ゴムを介してすべり材が突き出る状態で設けられていることを特徴とする支承。
【請求項２】
上部構造物と下部構造物を連結する支承であって、下向きに開いた円柱状の内部空間を形成する側壁部材を上部構造物側に有し、その内部空間に入る円柱状のペースポットを下部構造物側に有しており、前記側壁部材はその下部内側に周状の内向き突出部を有し、前記ベースポットはその上部外側に周状の外向き突出部を有し、これらの内向き突出部と外向き突出部とが抜け止め状態で嵌合しており、前記ベースポットの上部には弾性体が突き出る状態で設けられていることを特徴とする支承。
【請求項３】
上部構造物と側壁との間にソールプレートを設置し、そのソールプレートと側壁をボルトにて結合したことを特徴とする請求項１又は２に記載の支承。
【発明の詳細な説明】
【技術分野】
【０００１】
本発明は、主に土木、建築分野において用いられる装置であって、地震から建物を守るために複数の構造物の間を連結する支承の技術分野に属するものである。
【背景技術】
【０００２】
従来、異なる構造物の間を連結する橋梁構造物においては、地震時に構造物間の相対変位が生じた場合にその変形を吸収するため、通常、橋梁構造物の脚部に積層ゴム支承やすべり支承を設置している。この場合、一方の構造物側については、水平移動を拘束する固定支承を用い、他方の構造物側のみを水平移動させることが多い。
【０００３】
このような支承の一つとして、下面に滑り板を有し上部構造物に取り付けられる上沓と、上面に中間プレートとゴムプレートを有し下部構造物に取り付けられる下沓とからなり、上沓を下沓から離れないようにするため下沓の相対する側部に係止用のサイドブロックを備えた構成であって、鉛直荷重を支えるとともに、傾斜等にも対応可能となったタイプの支承が知られている。
【非特許文献１】「道路橋支承標準設計（すべり支承編）」，社団法人日本道路協会，平成５年５月１０日，ｐ．３０１
【発明の開示】
【発明が解決しようとする課題】
【０００４】
上記したタイプの支承は、下沓に設けた一対のサイドブロックにより下沓に対する上沓の動きを拘束することで引抜き荷重と水平荷重を支えるようになっている。このため、大きな引抜き荷重や水平荷重がかかった場合、その抵抗部分となるサイドブロックに力が集中することから、強度的に弱いという問題がある。また、サイドブロックは２箇所に設けられているので、保守管理が煩わしいといった問題もある。また、上部構造物と下部構造物の間に相対的な回転変位が生じた場合に対応することができない。
【０００５】
本発明は、このような問題点に鑑みてなされたものであり、その目的とするところは、上部構造物と下部構造物との間に生じる回転変位に対応できるとともに、大きな引抜き荷重や水平荷重にも対応できるようにした支承を提供することにある。
【課題を解決するための手段】
【０００６】
請求項１に記載の発明である支承は、上部構造物と下部構造物を連結する支承であって、下向きに開いた円柱状の内部空間を形成する側壁部材を上部構造物側に有し、その内部空間に入る円柱状のペースポットを下部構造物側に有しており、前記側壁部材はその下部内側に周状の内向き突出部を有し、前記ベースポットはその上部外側に周状の外向き突出部を有し、これらの内向き突出部と外向き突出部とが抜け止め状態で嵌合しており、前記ベースポットの上部には圧縮ゴムを介してすべり材が突き出る状態で設けられていることを特徴としている。
【０００７】
請求項２に記載の発明である支承は、上部構造物と下部構造物を連結する支承であって、下向きに開いた円柱状の内部空間を形成する側壁部材を上部構造物側に有し、その内部空間に入る円柱状のペースポットを下部構造物側に有しており、前記側壁部材はその下部内側に周状の内向き突出部を有し、前記ベースポットはその上部外側に周状の外向き突出部を有し、これらの内向き突出部と外向き突出部とが抜け止め状態で嵌合しており、前記ベースポットの上部には弾性体が突き出る状態で設けられていることを特徴としている。
【０００８】
請求項３に記載の発明である支承は、請求項１又は２に記載の支承において、上部構造物と側壁部材との間にソールプレートを設置し、そのソールプレートと側壁部材をボルトにて結合した形態にしたことを特徴としている。
【発明の効果】
【０００９】
請求項１に記載の支承は、上部構造物と下部構造物の間に働く鉛直荷重をしっかりと支えることができ、しかも、上部構造物側の側壁部材における周状の内向き突出部と下部構造物側のベースポットにおける周状の外向き突出部とが嵌合していることにより、引抜き荷重や水平荷重が働いた場合に力が分散されることから、強度的に強いものとなる。しかも、嵌合している部位がリング状であるため、上部構造物と下部構造物の間に回転変位が生じた場合に対応することができる。また、部品数が少なくて済むため、経済的であるとともに保守管理が容易となる。しかも、装置の輸送時や現地据付け時に塵芥などの侵入を防ぐことができる。
【００１０】
請求項２に記載の支承は、上部構造物と下部構造物の間に働くある程度の鉛直荷重を支えることができるものであり、しかも、上部構造物側の側壁部材における周状の内向き突出部と下部構造物側のベースポットにおける周状の外向き突出部とが嵌合していることにより、引抜き荷重や水平荷重が働いた場合に力が分散されることから、強度的に強いものとなる。しかも、嵌合している部位がリング状であるため、上部構造物と下部構造物の間に回転変位が生じた場合に対応することができる。また、部品数が少なくて済むため、経済的であるとともに保守管理が容易となる。しかも、装置の輸送時や現地据付け時に塵芥などの侵入を防ぐことができる。
【００１１】
請求項３に記載の支承は、上部構造物と側壁部材との間にソールプレートを設置したことにより、回転すべり面の品質保持が容易になる。また、ソールプレートと側壁部材をボルトにて結合したことにより、支承内部の点検が容易になる。また、ソールプレートと上部構造物とを連結するボルトが水平荷重を負担するため、ソールプレートと側壁部材とを結合するボルトは大きな荷重を負担しなくて済み、したがってボルトは径の小さなものでよく、ソールプレートの厚みも少なくてよいので経済的である。
【発明を実施するための最良の形態】
【００１２】
図１は本発明に係る支承の一例を示す縦方向の半断面図、図２は図１のＡ−Ａ矢視図、図３は図１のＢ−Ｂ矢視図である。
【００１３】
図１に示されるように、支承は上部構造物Ｓａと下部構造物Ｓｂを連結するように設けられている。
【００１４】
上部構造物Ｓａにはその下面に矩形状のソールプレート１が４本のボルト２で固定されており、そのソールプレート１の下側に側壁部材３が２本のボルト４で取り付けられている。この側壁部材３は、矩形状の板材を円柱状にくり抜いた形状で、ソールプレート１の下面に取り付けられることにより、下向きに開いた円柱状の内部空間を形成している。そして、側壁部材３はその下部内側に周状の内向き突出部３ａを有している。
【００１５】
一方、下部構造物Ｓｂにはその上面に矩形状のベースプレート５が４本のボルト６で固定されており、そのベースプレート５の上面には前記内部空間に入る円柱状のベースポット７が４本のボルト８で固定されている。ベースプレート５の下面側にはボルト８の頭部が納まる円形状凹部が４箇所に形成されており、ベースポット７の取付状態ではボルト８の頭部が外に出ないようになっている。また、ベースプレート５の上面側には浅い円形状凹部が形成されており、その円形状凹部にベースポット７の下部が嵌まった状態で固定されている。そして、ベースポット７はその上部外側に周状の外向き突出部７ａを有しており、この外向き突出部７ａは側壁部材３の内向き突出部３ａと抜け止め状態で嵌合している。また、上部には凹部が形成されその中に圧縮ゴム９とポリイミド樹脂板又は表面処理を行った金属板からなるすべり材１０とが設けられ、すべり材１０はベースポット７の上部から突き出るようにセットされている。
【００１６】
この支承は、上部構造物Ｓａと下部構造物Ｓｂの間にはたらく鉛直荷重を支えるとともに、側壁部材３における周状の内向き突出部３ａとベースポット６における周状の外向き突出部６ａとが嵌合していることにより、引抜き荷重や水平荷重が働いた場合に力が分散されることになる。しかも、嵌合している部位がリング状であるため、上部構造物と下部構造物の間に回転変位が生じた場合に対応できる。
【００１７】
図４は本発明に係る支承の別の例を示す縦方向の半断面図である。この支承は図１に示す支承とベースポット上部の構造が異なるだけであるので、同様の部位には同じ符号を付してその説明を省略する。また、図４のＡ−Ａ矢視図とＢ−Ｂ矢視図はそれぞれ図２と図３に対応している。
【００１８】
この図４に示す支承では、ベースポット７の上部に形成された凹部の中に厚手の弾性体１１のみが設けられ、この弾性体１１はベースポット７の上部から突き出るようにセットされている。弾性体１１の材料としては、高分子量ポリエチレン等の弾力のあるプラスチックや、エラストマー（硬質ゴム）などが用いられる。
【００１９】
本発明の支承は必ずしも鉛直支持力を必要としない部位にも使用される。このように水平抵抗部材として使用する場合でも、何らかの抵抗がないと上部構造物が下がり過ぎて不具合が起こるし、仮設時には一旦荷重を受ける場合もある。したがって、この図４に示すタイプの支承は、このように鉛直方向のたわみ吸収がそれほど必要ではないが、ある程度の弾性が必要な場合に用いると好適である。
【００２０】
上記で説明した２つのタイプの支承では、上部構造物Ｓａと側壁部材３との間にソールプレート１を設置したが、このソールプレート１は特に設置しなくても構わない。ただ、上部構造物Ｓａと側壁部材３との間にソールプレート１を設置することにより、回転すべり面の品質保持が容易になるという利点がある。また、ソールプレート１を設置した場合、そのソールプレート１と側壁部材３をボルト４にて結合することにより、支承内部の点検が容易になる。また、ソールプレート１と上部構造物Ｓａとを連結するボルト２が水平荷重を負担するため、ソールプレート１と側壁部材３とを結合するボルト４は大きな荷重を負担しなくて済み、したがってボルト４は径の小さなものでよく、ソールプレート１の厚みも少なくてよい。
【図面の簡単な説明】
【００２１】
【図１】本発明に係る支承の一例を示す縦方向の半断面図である。
【図２】図１のＡ−Ａ矢視図である。
【図３】図１のＢ−Ｂ矢視図である。
【図４】本発明に係る支承の別の例を示す縦方向の半断面図である。
【符号の説明】
【００２２】
Ｓａ  上部構造物
Ｓｂ  下部構造物
１  ソールプレート
２  ボルト
３  側壁部材
３ａ  内向き突出部
４  ボルト
５  ベースプレート
６  ボルト
７  ベースポット
７ａ  外向き突出部
８  ボルト
９  圧縮ゴム
１０  すべり材
１１  弾性体
【図１】
2005121040.tif 000003
【図２】
2005121040.tif 000004
【図３】
2005121040.tif 000005
【図４】
2005121040.tif 000006